(57)【要約】      （修正有）【課題】フレキシブルフラットケーブルがピックアップの移動の妨げとならず、また、フレキシブルフラットケーブル内部の配線が切れてしまうことのないように引き出されたフレキシブルフラットケーブルを備えるディスク装置を提供する。【解決手段】ピックアップ２と、当該ピックアップ２をディスクの径方向に移動可能に支持するピックアップシャーシ１と、前記ピックアップ２の移動方向に延在して配され、前記ピックアップ２と前記ピックアップシャーシ１に設けられた配線基板を電気的に接続するフレキシブルフラットケーブル１１を備えたディスク装置において、ピックアップシャーシ１の側面に前記フレキシブルフラットケーブル１１の一部を螺旋状に少なくとも一巻きにした状態で保持する保持部１２を設けたことを特徴とする。【選択図】図６
2006196077.tif 000002
【特許請求の範囲】
【請求項１】
ピックアップと、当該ピックアップをディスクの径方向に移動可能に支持するピックアップシャーシと、前記ピックアップの移動方向に延在して配され、前記ピックアップと前記ピックアップシャーシに設けられた配線基板を電気的に接続するフレキシブルフラットケーブルを備えたディスク装置において、前記ピックアップシャーシの側面に前記フレキシブルフラットケーブルの一部を螺旋状に少なくとも一巻きにした状態で保持する保持部を設けたことを特徴とするディスク装置。
【請求項２】
前記保持部は前記フレキシブルフラットケーブルの一部をピックアップシャーシの上下方向に対して一定角度傾斜して保持することを特徴とする請求項１に記載のディスク装置。
【発明の詳細な説明】
【技術分野】
【０００１】
本発明は、ディスク装置に関し、特に、ピックアップから引き出されるフレキシブルフラットケーブルを備えるディスク装置に関するものである。
【背景技術】
【０００２】
従来のディスク装置においては、例えば図１５乃至図１８に示すディスク装置のように、可動側部材であるピップアップ１aには磁気駆動回路の構成要素である駆動コイル等が搭載されていた。そして、この駆動コイル等に給電を行うために可動側部材であるピックアップ１aと固定側部材であるＲＦ基板（プリント基板）２aの間が電気的に接続されていた。この接続のための配線は可動側部材であるピックアップ１aの移動を阻害するようなものであってはならない。そこで、可撓性のフレキシブルフラットケーブル（以下、ＦＦＣという。）４aを十分弛みを持った状態で、これらピックアップ１aとＲＦ基板２aの間に掛け渡すことによって配線を行っていた。このＦＦＣ４aの弛ませ方は、図１６乃至１８図に示すように、ピックアップ１aの内周から外周への移動に従って、ＦＦＣ４aがピックアップシャーシ３aの下方に湾曲するように弛ませるものであった。  
【特許文献１】特開平１０−１３４４１２号公報
【発明の開示】
【発明が解決しようとする課題】
【０００３】
しかしながら、このようなＦＦＣ４aの弛ませ方では、ＦＦＣ４aの弛みがピックアップシャーシ３aの下方にできているため、ピックアップシャーシ３aの下方に底板などの部品があった場合には、このＦＦＣ４aの弛みがこの部品に接触してしまい、ＦＦＣ４aを引き出しているピックアップ１aの正常な移動が妨げられることがあった。
また、ピックアップ１aの内外周への度重なる反復移動により、例えば図１８に示すようにＦＦＣ４aが何度も大きく屈曲してＦＦＣ４a内部の配線が切れてしまう虞があった。
本発明はこのような問題に鑑みてなされたもので、フレキシブルフラットケーブルがピックアップの移動の妨げとならず、また、フレキシブルフラットケーブル内部の配線が切れてしまうことのないように引き出されたフレキシブルフラットケーブルを備えるディスク装置を提供するものである。  
【課題を解決するための手段】
【０００４】
請求項１に記載のディスク装置は、ピックアップと、当該ピックアップをディスクの径方向に移動可能に支持するピックアップシャーシと、前記ピックアップの移動方向に延び、前記ピックアップと前記ピックアップシャーシに設けられた配線基板との間を電気的に接続しているフレキシブルフラットケーブルを備えたディスク装置において、ピックアップシャーシの側面に前記フレキシブルフラットケーブルの一部を螺旋状に少なくとも一巻きにした状態で保持する保持部を設けたことを特徴とする。
【０００５】
請求項２に記載の発明は、請求項１のディスク装置において、前記保持部は前記フレキシブルフラットケーブルの一部をピックアップシャーシの上下方向に対して一定角度傾斜して保持することを特徴とする。
【発明の効果】
【０００６】
請求項１に記載の発明によれば、フレキシブルフラットケーブルの一部はピックアップシャーシの側面に設けられた保持部によって、螺旋状で保持される。つまり、ピックアップシャーシの側面に設けられた保持部にフレキシブルフラットケーブルの一部を保持することによって、フレキシブルフラットケーブルのうち螺旋部分をピックアップシャーシの側面に位置させている。そして、ピックアップが、ピックアップがディスクの内周側に位置している状態からピックアップがディスクの外周側に位置している状態へ移動することによってフレキシブルフラットケーブルに弛みが生じた場合、この弛んだ長さだけこの螺旋部分の長さが長くなるので、この一巻きにした螺旋分以外には弛みが生じない。これにより、例えばピックアップシャーシの上方又は下方に部品があった場合であっても、この部品とフレキシブルフラットケーブルとが接触してしまうといったことがないので、フレキシブルフラットケーブルを引き出しているピックアップの正常な移動が妨げられる虞を回避することができる。
【０００７】
また、請求項２に記載の発明によれば、この保持部はピックアップシャーシの上下方向に対して一定角度傾斜して形成された係合部であるため、フレキシブルフラットケーブルの一部をこの保持部により係合して一定角度傾斜した状態で保持することができる。これにより、このフレキシブルフラットケーブルの一部を螺旋状で保持することが容易となる。このように、保持部によってフレキシブルフラットケーブルを螺旋状に保持することにより、フレキシブルフラットケーブル同士の接触を回避できるため、ピックアップの内外周への移動の繰り返しによりフレキシブルフラットケーブル同士が擦れてフレキシブルフラットケーブル内部の配線が切れてしまうといった問題は生じない。
【発明を実施するための最良の形態】
【０００８】
本発明に係るディスク装置の一実施例として、以下のディスク記録再生装置について図に沿って詳細に説明する。
【０００９】
全体概略
図１乃至図３は、ピックアップシャーシ１がトレイ式ローディングメカ３に取り付けされている状態を示す概略図であり、図１は平面図、図２、図３はピックアップシャーシ１の昇降状態（図２が上昇状態、図３が降下状態）を示す側面図である。図４、図５は、図１乃至図３のトレイ式ローディングメカ３に取り付けられるピックアップシャーシ１の一例を示す概略図である。図１に示すように、ピックアップシャーシ１は、一側部がトレイ式ローディングメカ３の枢支部４により枢支され、自由端から突出したピン５がトレイ式ローディングメカ３の図示しないガイド部に沿って上下にガイドされることにより、図２、図３に示すようにトレイ式ローディングメカ３に開設された大開口１３内を昇降可能に揺動する。トレイ６は、トレイ式ローディングメカ３に収納されたクローズ位置とトレイ式ローディングメカから飛び出したオープン位置との間を摺動し、図示しないディスクをトレイ式ローディングメカ３の内部又は外部へ搬送する。クランパ板７には図示しないクランパが設けられており、周知の如くターンテーブル８との間で図示しないディスクを押圧挟持する。このように構成されたディスク記録再生装置において、ディスクがトレイ６によってトレイ式ローディングメカ３内に搬送された状態にて、ピックアップシャーシ１が上向きに摺動して、クランパとターンテーブル８が合わさることによって、ディスクが回転自在に保持される。
【００１０】
ピックアップシャーシの詳細
図６乃至図９は図４、図５のピックアップシャーシ１にピックアップ２等が載置された状態を示す概略構成図であり、図６、図８は平面からの外観図、図７、図９は底面からの外観図である。
【００１１】
ピックアップシャーシ１には、トラバースメカ９が搭載されており、このトラバースメカ９には、周知の如くディスクを回転させるターンテーブル８、光線をディスクの裏面に照射して記録再生を行うピックアップ２を備える。このピックアップ２は、トラバースメカ９に設けられたガイドシャフト１０によって保持され、ガイドシャフト１０の軸方向にディスクの内周から外周までの区間内において摺動可能に支持される。ＦＦＣ１１は、ピックアップ２の移動方向に延在しており、ピックアップ２とピックアップシャーシ１に設けられた図示しないプリント配線基板の間を電気的に接続しているフレキシブルな配線ケーブルである。保持部１２は、２つの断面コ字状の突起の自由端が互いに対向し、ピックアップシャーシ１の一側面において左上から右下に向けて傾斜した状態で設けられ、後に詳述するようにＦＦＣ１１の一部を螺旋状に一巻きにした状態で保持する。
【００１２】
ＦＦＣの引き回しの詳細
図１０は、図６、図７を保持部１２が設けられた側面から見た図（ピックアップ２がディスクの内周側に位置している状態）であり、図１１は、図８、図９を保持部１２が設けられた側面から見た図（ピックアップ２がディスクの外周側に位置している状態）である。
【００１３】
図１１及び図１２のＡに示すように、ピックアップシャーシ１に設けられた保持部１２にＦＦＣ１１の一部を保持する、即ち、２つの断面コ字状の突起の自由端が互いに対向しピックアップシャーシ１の上下方向に対して一定角度傾斜して形成された係合部にＦＦＣ１１を掛止させることにより、ＦＦＣ１１のうちピックアップ２の引き出し位置から延びる直線部分Ｂをピックアップシャーシ１の下方に位置させ、この直線部Ｂの延長上で一巻きにした螺旋部分Ａをピックアップシャーシ１の側面に位置させている。そして、ピックアップ２が、図６、図７に示すピックアップ２がディスクの内周側に位置している状態から図８、図９に示すピックアップ２がディスクの外周側に位置している状態へ移動することによってＦＦＣ１１に弛みが生じた場合、この弛んだ長さ分だけこの螺旋部分Ａの長さが長くなるのでこの直線部分Ｂには弛みが生じない。即ち、ＦＦＣ１１の一部を螺旋状に一巻きにしてピックアップシャーシ１の側面において保持することにより、ピックアップシャーシ１の側面に位置する螺旋部分ＡのみにＦＦＣ１１に生じる弛みを集約させることができ、ピックアップシャーシ１の下方又は上方に位置する直線部分Ｂに弛みが生じることはない。これにより、例えばピックアップシャーシ１の上方又は下方に部品があった場合であっても、この部品とＦＦＣ１１とが接触してしまうといったことがないので、ＦＦＣ１１を引き出しているピックアップ２の正常な移動が妨げられる虞を回避することができる。
【００１４】
また、図１０、図１１に示すように、保持部１２はピックアップシャーシ１の一側面において左上から右下に向けて一定角度傾斜して設けられているため、ＦＦＣ１１をこの保持部１２の傾斜に沿って一定角度傾斜させて保持することができる。このように、この保持部１２によりＦＦＣ１１を一定角度傾斜した状態で保持できるので、このＦＦＣ１１を螺旋状で保持することが容易となる。
【００１５】
尚、保持部１２によってＦＦＣ１１を螺旋状に保持することにより、ＦＦＣ１１同士の接触を回避できるため、ピックアップ２の内外周への移動の繰り返しによりＦＦＣ１１同士が擦れてＦＦＣ１１内部の配線が切れてしまうといった問題は生じない。
【００１６】
ＦＦＣの屈曲整形
上述の如く、ピックアップシャーシ１に設けられた保持部１２にＦＦＣ１１の一部を保持するようにＦＦＣ１１を引き回した場合、ＦＦＣ１１がピックアップ２から引き出される位置から保持部１２に保持される位置までの長さが短すぎるとピックアップ２がディスクの最内周に到達できないなどの問題が生じ、反対にこの長さが長すぎるとＦＦＣ１１の弛みが大きくなりすぎて、弛みが他の部品に引っ掛かかってしまったり、ディスク記録再生装置を大型化してしまう虞がある。このため、本実施例のディスク記録再生装置においては、このＦＦＣ１１がピックアップ２から引き出される位置から保持部１２に保持される位置までの長さを適度な長さに設定することができる。具体的には、図１２に示すように、ＦＦＣ１１の所定の位置を保持部１２に掛止して、それからこの掛止位置にてＦＦＣ１１に折り目７bを付けて屈曲整形する。こうすれば、この屈曲整形した部分７bが保持部１２に引っ掛かかるため、ＦＦＣ１１がピックアップ２から引き出される位置から保持部１２に保持される位置までの長さを一定に設定することができる。尚、この設定は予めＦＦＣ１１の所定の位置に折り目７bを付けて屈曲整形しておき、この屈曲整形した部分を保持部１２に引っ掛けることにより行ってもよい。
【００１７】
尚、本発明の実施例においては、ＦＦＣ１１はピックアップシャーシ１の下方から引き出されているが、本発明はこれに限られず、ピックアップシャーシ１の上方から引き出されてもよい。
【００１８】
また、本発明の実施例においては、ＦＦＣ１１は、一端がピックアップ２から引き出され、他端がピックアップシャーシ１に設けられたプリント配線基板に接続されているが、本発明はこれに限られず、この多端として、例えば前述したトレイ式ローディングメカ３にプリント配線基板を設け、これをＦＦＣ１１と接続させてもよい。
【００１９】
また、本発明の実施例においては、保持部１２をピックアップシャーシ１の側面に設けているが、本発明はこれに限られず、保持部１２をピックアップシャーシ１の側面の近辺に位置する、例えば前述したトラバースメカ９の所定の位置に設けてもよい。
【００２０】
また、本発明の実施例においては、ピックアップ２の移動方向に延在して配され、ピックアップ２とピックアップシャーシ１に備えられたプリント配線基板を電気的に接続する部品としてフレキシブルフラットケーブル（ＦＦＣ）を用いているが、本発明はこれに限られず、可撓性がある配線基板であればよく、例えばフレキシブルプリント基板（ＦＰＣ）であってもよい。  
【００２１】
また、本発明の実施例においては、ピックアップシャーシ１に設けられた保持部１２は、図４、図５に示すように２つの断面コ字状の突起の自由端が互いに対向した形状であるが、本発明における保持部はこれに限られず、ＦＦＣ１１を屈曲整形した部分Ａを係止できるような形状のものであればよく、例えば図１３、図１４に示すピックアップシャーシ１に設けられた穴部１４のようにＦＦＣ１１を挿通する穴形状のものであってもよい。
【００２２】
さらに、本発明の実施例においては、ディスク記録再生装置を例に挙げて説明したが、
本発明はこれに限られず、ディスク装置であればよく、例えばディスク再生装置又はディスク記録装置であってもよい。
【図面の簡単な説明】
【００２３】
【図１】ピックアップシャーシがトレイ式ローディングメカに取り付けされている状態を示す上面概略図である。
【図２】ピックアップシャーシがトレイ式ローディングメカに取り付けされている状態におけるピックアップシャーシの昇降状態を示す側面図（上昇状態）である。
【図３】ピックアップシャーシがトレイ式ローディングメカに取り付けされている状態におけるピックアップシャーシの昇降状態を示す側面図（降下状態）である。
【図４】ピックアップシャーシの一例を示す上面外観斜視図である。
【図５】ピックアップシャーシの一例を示す底面外観斜視図である。
【図６】図４、図５のピックアップシャーシにピックアップ等が載置された状態を示す平面外観構成図（ピックアップ２がディスクの内周側に位置している状態）である。
【図７】図４、図５のピックアップシャーシにピックアップ等が載置された状態を示す底面外観構成図（ピックアップ２がディスクの内周側に位置している状態）である。
【図８】図４、図５のピックアップシャーシにピックアップ等が載置された状態を示す平面外観構成図（ピックアップ２がディスクの外周側に位置している状態）である。
【図９】図４、図５のピックアップシャーシピックアップ等が載置された状態を示す底面外観構成図（ピックアップ２がディスクの外周側に位置している状態）である。
【図１０】図６、図７を保持部が設けられた側面から見た図（ピックアップ２がディスクの内周側に位置している状態）である。
【図１１】図８、図９を保持部が設けられた側面から見た図（ピックアップ２がディスクの外周側に位置している状態）である。
【図１２】ＦＦＣの折り曲げ位置を示す図である。
【図１３】ピックアップシャーシの他の例を示す上面外観斜視図である。
【図１４】ピックアップシャーシの他の例を示す底面外観斜視図である。
【図１５】従来におけるディスク装置内部の斜視図である。
【図１６】図１５のものの動作状態を説明するための概略縦断側面図である。
【図１７】図１５のものの図１６とは異なる動作状態を説明するための概略縦断側面図である。
【図１８】図１５のものの図１６又は図１７とは異なる動作状態を説明するための概略縦断側面図である。
【符号の説明】
【００２４】
１  ピックアップシャーシ
２  ピックアップ
７  ＦＦＣ
１２  保持部
【図１】
2006196077.tif 000003
【図２】
2006196077.tif 000004
【図３】
2006196077.tif 000005
【図４】
2006196077.tif 000006
【図５】
2006196077.tif 000007
【図６】
2006196077.tif 000008
【図７】
2006196077.tif 000009
【図８】
2006196077.tif 000010
【図９】
2006196077.tif 000011
【図１０】
2006196077.tif 000012
【図１１】
2006196077.tif 000013
【図１２】
2006196077.tif 000014
【図１３】
2006196077.tif 000015
【図１４】
2006196077.tif 000016
【図１５】
2006196077.tif 000017
【図１６】
2006196077.tif 000018
【図１７】
2006196077.tif 000019
【図１８】
2006196077.tif 000020